(57)【特許請求の範囲】
【請求項１】
支持基板と、回動変位自在な複数の収納棚と、前記支持基板に対して前記複数の収納棚を同時に出入、かつ昇降自在に支持するための平行リンク支持機構と、前記平行リンク支持機構の変位に連係して支持基板中に格納した状態と支持基板より引き出した状態とで収納棚の角度を徐々に変化させる棚角度傾斜手段と、支持基板中に格納した収納棚の傾斜角度を調節する棚角度調節手段とを備えた厨房用収納装置。
【請求項２】
収納棚を支持基板中に格納した状態における各収納棚の間隔よりも、収納棚を支持基板中より引出した状態の間隔を、少なくとも鉛直方向に広げる鉛直間隔拡大手段を備えた請求項１に記載の厨房用収納装置。
【請求項３】
支持基板と、回動変位自在なラック体と、前記支持基板に対して前記ラック体を出入、かつ昇降自在に支持する平行リンク支持機構と、前記ラック体に固定した複数の収納棚と、前記平行リンク支持機構の変位に連係して支持基板中に格納した状態と支持基板より引き出した状態とで前記ラック体の角度を徐々に変化させる棚角度傾斜手段とを備えた厨房用収納装置。
【発明の詳細な説明】
【０００１】
【発明の属する技術分野】
本発明は、厨房用収納装置に関するものである。
【０００２】
【従来の技術】
従来、この種の収納装置は特開平７−８３３３号公報に記載されているものが知られている。この収納装置は図６に示したように、収納凹部であるキャビネット１と、収納棚本体２と、収納棚本体２を昇降させるリンク機構３，４と、収納棚本体２に設けた棚板５で構成されている。リンク機構３，４によって収納棚本体２を下方に移動することができ、高所に設置した収納棚本体２を手の届く低位置に移動して使用することができる。これにより、棚板５上に収納した収納物品を容易に出し入れすることができるようになっていた。
【０００３】
【発明が解決しようとする課題】
しかしながら、従来の前記する収納装置では、棚板５の角度はキャビネット１中に格納されている状態でもキャビネット１中より引き出された状態でも一定であった。このため、収納効率を増加させるために棚板５の角度を水平とし、棚板５の間隔を狭めた場合には、収納効率はよいものの、キャビネット１中より引き出した状態で収納物品を目視しにくく、取り出しにくいという課題があった。また、収納装置全体の奥行き寸法Ａが大きくなるとともに、棚板５を引き出した状態も含めた設置に必要な前後の奥行き寸法Ｂも大きくなってしまう。
【０００４】
一方、収納装置全体の奥行き寸法を小さくするために棚板５の角度を傾斜させた場合にも、棚板５の角度によっては収納物品が見難く、取り出しにくくなるという課題があった。
【０００５】
【課題を解決するための手段】
本発明は上記課題を解決するために、支持基板と、回動変位自在な複数の収納棚と、前記支持基板に対して前記複数の収納棚を同時に出入、かつ昇降自在に支持するための平行リンク支持機構と、前記平行リンク支持機構の変位に連係して支持基板中に格納した状態と支持基板より引き出した状態とで収納棚の角度を徐々に変化させる棚角度傾斜手段と、支持基板中に格納した収納棚の傾斜角度を調節する棚角度調節手段とを備えたものとしたものである。
【０００６】
上記発明によれば、収納棚を支持基板中に格納した状態と支持基板中より引き出した状態とで収納棚の棚角度を徐々に変化させることができ、収納棚の間隔を狭くした場合でも、収納物品を目視しやすくし、取り出しやすくすることができる。
【０００７】
また、支持基板中より収納棚を取り出した場合、または支持基板中に収納棚を格納した場合のいずれかにおける収納棚を傾斜させることにより、または傾斜度を変化させることにより収納装置および引き出した収納棚を含めた設置に必要な奥行き寸法を小さくすることができ、幅の狭い空間にも収納装置の設置が可能となる。
【０００８】
【発明の実施の形態】
本発明は、支持基板と、回動変位自在な複数の収納棚と、前記支持基板に対して前記複数の収納棚を同時に出入、かつ昇降自在に支持するための平行リンク支持機構と、前記平行リンク支持機構の変位に連係して支持基板中に格納した状態と支持基板より引き出した状態とで収納棚の角度を徐々に変化させる棚角度傾斜手段と、支持基板中に格納した収納棚の傾斜角度を調節する棚角度調節手段とを備えたものとした。したがって、収納棚を支持基板中に格納した状態と支持基板中より引き出した状態とで収納棚の棚角度を変化させることができるため、収納棚の間隔を狭め収納効率を向上させた場合においても、収納物品を見やすく、かつ取り出しやすくすることができる。また、収納装置および支持基板より引き出した収納棚を含めた装置の設置に必要な奥行き寸法を小さくすることができ、幅の狭い空間にも設置が可能となる。
【０００９】
そして、収納棚の傾斜角度を調節する棚角度調節手段を備えた構成とすることにより、収納部品の種類、形状や使用形態にあわせて収納棚角度を調整することができ、収納物品の滑り落ち等の問題を解決することができる。また、これを調整することにより、奥行き寸法に違いがある支持基板などのキャビネット内に同一の機構部を用いることも可能である。
【００１０】
また、支持基板と、回動変位自在なラック体と、支持基板に対してラック体を出入、かつ昇降自在に支持する平行リンク支持機構と、ラック体に固定した収納棚と、平行リンク支持機構の変位に連係して支持基板中に格納した状態と支持基板より引き出した状態とでラック体の角度を徐々に変化させる棚角度傾斜手段とを備える構成とすることにより、ラック体を支持基板中に格納した状態と支持基板中より引き出した状態とでラック体の角度が徐々に変化し、ラック体に固定されている収納棚の角度を変化させることができるため、収納物品を見やすく、かつ取り出しやすくすることができる。
【００１１】
【実施例】
以下、本発明の実施例について図面を用いて説明する。
【００１２】
（実施例１）
図１は本発明の実施例１における収納装置の概略図である。
【００１３】
図１において、収納棚６は昇降支持機構７によってキャビネット等の支持基板８に支持されている。ここで、昇降支持機構７は平行リンクの作用をする２本の回転アーム９，１０で構成されており、枢軸１１，１２で支持基板８に枢支され、枢軸１３，１４で収納棚６に枢支されている。
【００１４】
また、収納棚６が支持基板８中に収納された時と引き出し時とで収納棚６の角度を変化させる棚角度傾斜手段１５を設けており、収納棚６を支持基板８中に格納した状態では収納棚６を傾斜させ、支持基板８中より引き出した状態では略水平に変化させる。また、収納棚６を複数個設置しており、棚連動手段１６によって各収納棚６は連動している。
【００１５】
また、収納棚６の傾斜角を調整する棚角度調整手段１７と収納棚６の傾斜角の変化量を調整する棚角度変化調節手段１８を収納棚６に対して設けている。さらに、昇降支持機構７である回転アーム１０の旋回に対して力を作用する緩衝装置としての油圧ダンパ１９と弾性体としての引っ張りばね２０とを設置している。
【００１６】
次に動作、作用について説明すると、平行リンク支持機構である昇降支持機構７の旋回によって収納棚６は回動自在に、出入かつ昇降するため、上部空間に設けた収納棚６を下方へ引き降ろして利用することができ、踏み台等を使用せずに物品の出し入れを容易に行うことができる。
【００１７】
また、棚角度傾斜手段１５は収納棚６を支持基板８中に格納した状態と支持基板８中より引き出した状態とで収納棚６の角度を平行リンクの変位に連係して徐々に変化させるように作用し、図１で点線で示すように支持基板８中に格納した時には収納棚６を傾斜させ、図１で実線で示すように支持基板８中から引き出した際には略水平としている。
【００１８】
なお、この動きは棚連動手段１６によりすべての収納棚６に連動している。収納棚６が支持基板８中に格納された時には収納棚６は傾斜していることから、収納装置自体の奥行き寸法Ｃを小さくすることができ、収納装置の省スペース化が図れ、狭い空間への設置も可能となる。
【００１９】
また、収納棚６を支持基板８中より引き出した際には、収納棚６は略水平になることから、収納棚６に載置された収納物品が見やすく、取り出しやすくなる。
【００２０】
また、棚角度調整手段１７を備えた場合には、収納物品の種類や形状等によって棚の角度を調整することができ、収納物品の滑り落ち等を防止することができる。
【００２１】
また、この角度を調整することにより、昇降支持機構７の機構部を奥行きの異なる支持基板としてのキャビネットに用いることも可能となる。
【００２２】
また、棚角度変化調整手段１８を備えた場合には、支持基板８中より収納棚６を引き出した状態における収納棚６の角度を調整でき、収納物品の見やすい角度、あるいは取り出しやすい角度に設定できる。
【００２３】
また、昇降支持機構７の旋回に対して作用する油圧ダンパ１９を用いた場合には、収納
棚６の移動時に収納棚６が急激に移動することを防止し、収納棚６の角度変化と相まって、衝撃等が収納物品に一層強く加わることを防止することができる。
【００２４】
また、昇降支持機構７の動作に対して引っ張りばね２０等の弾性体を作用させた場合には、収納棚６を下方に引き降ろした状態から押しもどす際に、楽に戻すことができると同時に、降下速度を減少するなど衝撃等が収納物品に加わることを緩和することができる。
【００２５】
（実施例２）
図２は本発明の実施例２における収納装置の概略図であり、図１に示した実施例１と同じ構成要素には同一の符号を付与している。
【００２６】
基本的には実施例１と同様であるが、棚角度傾斜手段１５として、ここでは昇降支持機構７を平行リンク動作をしないという手段を用いている。枢軸１１と１２の間隔よりも枢軸１３と１４の間隔の方を広くしている。これにより、収納棚６と一体構成である枢軸１３と１４の角度は昇降支持機構７の旋回に伴って変化し、実施例１と同様の効果が得られる。
【００２７】
この例では、靴を収納する下駄箱の例を示しているが、天井付近に支持基板８としてこのキャビネットを設置すれば、上部の空間を有効に利用できるとともに、使用時には下方に収納棚６が降下することから、踏み台等を使用せずに容易に出し入れすることができる。
【００２８】
なお、収納棚６を上から下に降下する場合の例を示したが、下から上に引き上げる構成とすることもでき、腰をかがめることなく床近くの収納物品を出し入れすることもできる。
【００２９】
また、枢軸１４の枢支位置をＤ，Ｅ，Ｆ，Ｇに変えれば、棚角度調整手段１７の機能を果し、収納棚６の傾斜角度を設定できる。また、枢軸１３の枢支位置をＨ，Ｉ，Ｊ，Ｋに変えれば、収納棚６の角度変化を調整でき、棚角度変化調整手段１８の機能を果すことになる。
【００３０】
（実施例３）
図３は本発明の実施例３における収納装置の概略図であり、図１に示した実施例１と同じ構成要素には同一の符号を付与している。
【００３１】
実施例３における収納装置の構成は実施例１とほぼ同様であるが、平行リンク支持機構である昇降支持機構７によって昇降するラック体２１を設け、ラック体２１の内部に収納棚６を設置している。作用，効果も実施例１と同様であるが、ラック体２１によって装置の剛性が増加し、昇降動作が安定すると同時に、収納物品の落下を防止することができる。
【００３２】
なお、昇降支持機構７をラック体２１の左右両側に設置した場合には、左右の昇降支持機構７の動きを同期させる左右運動部材２２を設ける。これにより、左右の昇降支持機構７によじれがなくなり、昇降操作を円滑に行うことができる。
【００３３】
また、図４に示したように、収納棚６はラック体２１に固定した構成とし、ラック体２１の移動に伴い棚角度傾斜手段１５はラック体２１の角度を変化させ、これにより収納棚６の角度を変化させることもできる。
【００３４】
（実施例４）
図５は本発明の実施例４における収納装置の概略図であり、図１に示した実施例１と同じ構成要素には同一の符号を付与している。
【００３５】
実施例４における収納装置の基本的な構成は実施例１と同様であるが、棚角度傾斜手段１５として歯車機構を用いている。
【００３６】
また、収納棚６の支持基板８中の格納状態では収納棚６は略水平に保持し、支持基板８より引き出した際には傾斜させる構成である。
【００３７】
また、支持基板８中より収納棚６を引き出した際に各収納棚６間の間隔を広げる鉛直間隔拡大手段２３を用いている。ここで、鉛直間隔拡大手段２３は棚連動手段１６を伸縮自在な構成としたものである。
【００３８】
作用，効果は実施例１とほぼ同様であるが、棚角度傾斜手段１５としての歯車機構における歯車の歯数等の設定により収納棚６を傾斜させることができ、角度変化も設定することができる。
【００３９】
また、収納棚６を支持基板８中に格納した時には略水平に保ち、支持基板８より引き出し時には図５中の実線で示すように傾斜させることから、格納状態における収納効率を向上させると同時に物品の出し入れ等の使い勝手を損なうことはない。
【００４０】
また、鉛直間隔拡大手段２３を用いた場合には、収納棚６の間隔が広がり、さらに収納物品の取り出しが容易となる。
【００４１】
なお、図示していないが、水平方向に各収納棚の相対位置を変化させる水平位置変化手段、たとえば水平方向にスライド装置を設けた場合でも、同様に収納物品が見やすく、取り出しが容易となる。また、図５はこの一例である。
【００４２】
以上各実施例の技術的意義をまとめれば次の通りとなる。
【００４３】
（１）収納棚を支持基板中に格納した状態と引き出した状態とで収納棚の角度を変化させる棚角度傾斜手段を備えていることにより、収納棚列の間隔を狭めるなど収納効率を向上させた場合でも、収納物品を見やすく、取り出しやすくすることができたり、あるいは収納装置の奥行き寸法を小さくしたりすることができる。
【００４４】
（２）支持機構により支持されたラック体を有し、ラック体に設けた収納棚の角度を変化させる場合には、ラック体を用いることにより、装置の剛性が増し、収納棚の移動動作が円滑となるとともに、収納物品の落下を防止することができる。
【００４５】
（３）収納棚を昇降自在に支持する昇降支持機構を備えているため、収納棚を下方に移動させることができ、高所に設置した収納棚を手の届く低位置に移動して使用することができ、収納した収納物品を踏み台等を用いずに容易に出し入れすることができる。
【００４６】
（４）収納棚を支持基板中に格納した状態で、収納棚を傾斜させて保持しているため、収納棚の角度が傾斜し、収納装置自体の奥行きを小さくすることができ、幅の狭い空間にも収納装置の設置が可能となる。また、収納棚を支持基板中より引き出した際には収納棚の角度は変化し、収納物品を目視しやすく、また取り出し易い角度に回転することができ、使い勝手がよくなる。
【００４７】
（５）収納棚を支持基板中に格納した状態で、収納棚を略水平に保持しているため、収納棚列の棚間隔次第では収納効率を高くできると同時に、支持基板中より収納棚を引き出し時には収納棚を傾斜することにより使い勝手を損なうことはない。
【００４８】
（６）収納棚の傾斜角度を調節する棚角度調節手段を備えているため、収納物品の種類，形状や使用形態にあわせて収納棚の角度を調整することができ、収納物品の滑り落ち等の問題を解決することができる。また、これを調整することにより、奥行きの寸法が異なる支持基板内に同一の機構部を用いることも可能である。
【００４９】
（７）収納棚の角度変化を調節する棚角度変化調節手段を備えているため、収納棚の支持基板中より引き出し状態での棚角度を調整することができ、使用形態に応じた状態に設定することにより、使い勝手のよい装置を得ることができる。
【００５０】
（８）収納棚を複数個設け、複数の収納棚の角度変化を連動させる棚連動手段を備えているため、一つの支持機構あるいは昇降支持機構で複数の収納棚を同時に移動させることができ、収納空間を効率的に利用することができる。
【００５１】
（９）収納棚を支持基板中に格納した状態における各収納棚の間隔よりも、収納棚を支持基板中より引出した状態の間隔を、少なくとも鉛直方向に広げる鉛直間隔拡大手段を備えているため、各収納棚の間隔が拡大することから収納物品の出し入れが容易となる。
【００５２】
（１０）収納棚を支持基板中に格納した状態と支持基板中より引出した状態における各収納棚の相対位置を、少なくとも水平方向に変化させる水平位置変化手段を備えているため、収納物品が目視しやすく、取り出しやすくなる。
【００５３】
（１１）支持機構または昇降支持機構の動作に対して作用するダンパ等の緩衝装置を設置しているため、収納棚の移動時に収納棚が急激に移動することを防止し、収納棚の角度変化とあいまって衝撃がより強く収納物品に加わることを防止することができる。
【００５４】
（１２）支持機構または昇降支持機構の動作に対して作用するばね等の弾性体を設けているため、収納棚を下方に引き降ろした状態から押しもどす際に、楽に戻すことができると同時に、収納棚の移動時に衝撃等が収納物品に加わることを緩和することができる。
【００５５】
【発明の効果】
本発明の厨房用収納装置によれば、収納棚を支持基板中に格納した状態と引き出した状態とで収納棚の角度を変化させるようにしているので、収納棚列の間隔を狭めるなど収納効率を向上させた場合でも、収納物品を見やすく、取り出しやすくすることができ、加えて、収納装置としてのコンパクト化が促進できるものである。
【図面の簡単な説明】
【図１】  本発明の実施例１における収納装置の側断面図
【図２】  本発明の実施例２における収納装置の側断面図
【図３】  本発明の実施例３における収納装置の斜視図
【図４】  同収納装置の側断面図
【図５】  本発明の実施例４における収納装置の側断面図
【図６】  従来の収納装置の側断面図
【符号の説明】
６  収納棚
７  昇降支持機構（平行リンク支持機構）
８  支持基板
１５  棚角度傾斜手段
１６  棚連動手段
１７  棚角度調整手段
１８  棚角度変化調整手段
１９  油圧ダンパ（緩衝装置）
２０  引っ張りばね（弾性体）
２１  ラック体
２２  左右連動部材
２３  鉛直間隔拡大手段
【図１】
0003785761.tif 000002
【図２】
0003785761.tif 000003
【図３】
0003785761.tif 000004
【図４】
0003785761.tif 000005
【図５】
0003785761.tif 000006
【図６】
0003785761.tif 000007